(57)【特許請求の範囲】
【請求項１】
装置各部に配置された各電装部品を制御する制御回路を構成する基板ユニットとこの基板ユニットを収納するケースとからなる制御ユニットを有し、各電装部品への複数の配線コードを、前記基板ユニットの部品面に配置されたコネクタを介して接続する衛生洗浄装置において、
制御ユニットを装置本体に固定する手段の一部として、コネクタに配線コードを接続する際に、前記制御ユニットを、装置本体内で下向きに部品面を向けた状態と、装置本体外で上向きまたは斜め上向きに部品面を向けた状態との間で回転自在に支持するヒンジ部を備えることを特徴とする衛生洗浄装置。
【請求項２】
請求項１記載の衛生洗浄装置において、
ヒンジ部は、
ケースから離間した位置に支持された軸と、装置本体に設けられた軸受けとからなることを特徴とする衛生洗浄装置。
【請求項３】
請求項１記載の衛生洗浄装置において、
ケースは、
基板ユニットを収納する開口を有し、この開口側と反対側のケース裏面に、各種給水パイプを挟持するパイプ支持部を有することを特徴とする衛生洗浄装置。
【発明の詳細な説明】
【０００１】
【発明の属する技術分野】
本発明は、衛生洗浄装置に関し、特に装置各部に配置された電装部品を制御する制御ユニットを本体に実装する衛生洗浄装置に関するものである。
【０００２】
【従来の技術】
一般に、人体の局部に水（または温水）を吐水することにより、局部を洗浄する衛生洗浄装置では、ＣＰＵなどからなる制御回路により、タンクのヒータ、流調バルブおよびノズル制御部などの電装部品を制御している。
通常、この制御回路は基板ユニットにより構成されており、所定のケースに収納され制御ユニットとして装置本体に実装される。
このような制御ユニットは、湿気による腐食や漏水などによる誤動作を回避するため、その実装形態について様々な工夫がなされている。
【０００３】
図３は、一般的な衛生洗浄装置を示す説明図であり、（ａ）は上面図（ただし便座蓋は省略）、（ｂ）は側面図である。
同図において、１は衛生洗浄装置の本体、２は便座、２Ａは便座蓋、１Ａは便座２の側方に設けられた袖部、１Ｂは袖部１Ａに配置された各種の操作ボタン、３は本体１内部に縦置きに配置された制御ユニット、４は袖部１Ａ内に配置されたタンクである。
【０００４】
また、５はタンク４内の水を吐水する場合の流量および流路を制御する流調バルブ、６は流調バルブ５からの水を給水する給水パイプ、７は給水パイプ６から給水された水を吐水ノズル７Ａに供給するとともに、吐水ノズル７Ａの伸出制御を行うノズル制御部である。
この場合、タンク４のヒータ、流調バルブ５およびノズル制御部７などの電装部品に対して、これらを制御するための配線コード（図示せず）が、制御ユニット３から配線されている。
【０００５】
従来、このような制御ユニット３を本体１内部に実装する場合、図４に示すような実装形態がとられていた。
図４は従来の制御ユニット実装状態を示す説明図である。
制御ユニット３は、ＣＰＵをはじめとする多数の電子部品３１や配線コード８を接続する複数のコネクタ３２を実装する基板ユニット３Ｂと、この基板ユニット３Ｂを耐水絶縁性を有する所定の樹脂３Ｃでポッティング（密閉）するための、プラスチック成型品などからなるケース３Ａとから構成されている。
【０００６】
これにより、基板ユニット３Ｂの半田部分や配線露出部分、あるいは電子部品３１のリード線などの金属部分が樹脂３Ｃでポッティングされ、湿気による腐食や漏水などによる誤動作が回避される。
さらに、制御ユニット３は、便座２の後方に位置する本体１内部に、垂直から僅かに傾斜して実装される。
【０００７】
ここで、制御ユニット３を実装する場合、給水パイプ６からの漏水や本体１カバー内に結露した水滴が、コネクタ３２や電子部品３１へ落下するのを回避するため、基板ユニット３Ｂの部品面を下向きであって、かつ後方すなわち便座２側と反対側に向けて実装することが望ましい。
しかし、この場合、制御ユニット３を本体１内に実装した状態では、コネクタ３２が水平からやや下方を向くため、組立作業時に、配線コード８をコネクタ３２に挿入しづらい。
【０００８】
したがって、従来、制御ユニット３を実装する作業としては、まず、本体１に実装する前に、本体１付近の適当な作業位置（ａ）で、一方が本体１内にすでに実装済みの電装部品に接続された各配線コード８を、基板ユニット３Ｂのコネクタ３２にそれぞれ挿入する。
各配線コード８をすべて挿入した後、制御ユニット３および配線コード８を本体１内部に、垂直から僅かに傾斜させるとともに、基板ユニット３Ｂの部品面を後方すなわち便座２側と反対側に向けて、実装位置（ｂ）に実装し、位置決め後に固定部３Ｄでネジ止めするものとなっていた。
【０００９】
【発明が解決しようとする課題】
しかしながら、このような従来の衛生洗浄装置では、本体１付近の適当な作業位置（ａ）で基板ユニット３Ｂのコネクタ３２にそれぞれ配線コード８を挿入するものとなっているため、制御ユニット３が安定せず、配線コード８を挿入する配線作業の作業性が悪いという問題点があった。
また、本体１から離れた位置に適当なジグを設け、そのジグ上に制御ユニット３を装着して配線コード８を挿入する方法も考えられる。
【００１０】
しかし、この場合には、配線コード８を長めにする必要があり、本体１内に長い配線コード８を収納しなければならず作業性が悪くなるという問題点がある。本発明はこのような課題を解決するためのものであり、制御ユニットを実装する場合の配線作業さらには実装作業を容易にできる衛生洗浄装置を提供することを目的としている。
【００１１】
【課題を解決するための手段】
このような目的を達成するために、本発明による衛生洗浄装置は、制御ユニットを装置本体に固定する手段の一部として、コネクタに配線コードを接続する際に、制御ユニットを、装置本体内で下向きに部品面を向けた状態と、装置本体外で上向きまたは斜め上向きに部品面を向けた状態との間で回転自在に支持するヒンジ部を備えるものである。
したがって、制御ユニットを装置本体に固定する手段の一部として設けられたヒンジ部により、制御ユニットの部品面が上向きまたは斜め上向きとなる位置に回転させて、コネクタに配線コードが接続される。
【００１２】
また、ヒンジ部を、ケースから離間した位置に支持された軸と、装置本体に設けられた軸受けとから構成したものである。したがって、ケースから離間した位置にある軸および装置本体の軸受けからなるヒンジ部を中心として、ケースを回転させて、配線作業が行われる。
また、ケースに、基板ユニットを収納する開口を有し、この開口側と反対側のケース裏面に、各種給水パイプを挟持するパイプ支持部を設けたものである。したがって、パイプ支持部により各種給水パイプがケース裏面に支持される。
【００１３】
【発明の実施の形態】
次に、本発明について図面を参照して説明する。
図１は本発明の一実施の形態である衛生洗浄装置の制御ユニットを示す説明図であり、（ａ）は上面図、（ｂ）は側面図である。同図において、３はタンクのヒータ、流調バルブおよびノズル制御部などの電装部品を制御する制御ユニットである。
【００１４】
制御ユニット３は、制御回路を構成するＣＰＵなどの多数の電子部品３１や配線コードを接続する複数のコネクタ３２を実装する基板ユニット３Ｂと、この基板ユニット３Ｂを収納するケース３Ａとから構成されている。
特に、開口を有する箱状のプラスチック成型品などからなり、その開口から基板ユニット３Ｂを収納し、耐水絶縁性の所定樹脂３Ｃで基板ユニット３Ｂをポッティング（密閉）する。
【００１５】
また、ケース３Ａには、制御ユニット３を衛生洗浄装置の本体内に実装する際の回転軸となる軸３Ｆと、軸３Ｆを支持するための支持部３Ｅと、ケース３Ａを所定角度で本体側に支持するための凸部３Ｇとが設けられている。
なお、１Ｇ，１Ｈは本体側に設けられた軸受けである。特に、軸受け１Ｇは開口半円により両方の軸３Ｆを回転自在に支持し、軸受け１Ｈは穴により一方の軸３Ｆを回転自在に支持するとともに軸３Ｆの外れを防止する。
【００１６】
３Ｄはケース３Ａの側面に設けられ、ケース３Ａを本体側にネジ止めするための固定部である。
これら、軸３Ｆおよび軸受け１Ｇ，１Ｈからなるヒンジ部９と、固定部３Ｄとから、制御ユニット３の固定手段が構成される。
また、基板ユニット３Ｂを収納しポッティングする開口側とは反対側のケース３Ａの裏面には、各種給水パイプを挟持して固定配置するためのパイプ支持部３Ｈが設けられている。
【００１７】
次に、図２を参照して、本発明の動作として、制御ユニットを衛生洗浄装置の本体に実装する場合の作業について説明する。
図２は、制御ユニットの実装作業を示す説明図であり、前述の説明（図１参照）と同じまたは同等部分には、同一符号を付してある。
同図において、１Ｌは制御ユニット３などが取り付けられる衛生洗浄装置本体の本体底部、１Ｕは本体内部を覆うための本体カバーである。
【００１８】
本体底部１Ｌには、制御ユニット３の両方の軸３Ｆを開口半円によりそれぞれ回転自在に支持する２つの軸受け１Ｇと、一方の軸３Ｆを穴により回転自在に支持する軸受け１Ｈとが設けられている。
また、本体底部１Ｌには、制御ユニット３を所定角度で支持するための凸部３Ｇに対応する位置に、角度位置決めのための凸部１Ｋが設けられている。
【００１９】
制御ユニット３を実装する場合、まず、基板ユニット３Ｂがすでにポッティングされている制御ユニット３の軸３Ｆを、衛生洗浄装置の本体１の軸受け１Ｇ，１Ｈに装着する。
次に、適当なジグ１０により、制御ユニット３を図２（ａ）の位置に、基板ユニット３Ｂの部品面を上向きにして支持し、一方が本体側の各電装部品に接続されている配線コード８を、基板ユニット３Ｂの部品面に実装されている各コネクタ３２に接続する。
【００２０】
すべての配線コード８を接続した後、軸受け１Ｇ，１Ｈにより回転自在に支持された軸３Ｆを軸として、制御ユニット３を、部品面が下向きであって、かつ後方となる本体側の実装位置（ｂ）に回転させる。
これにより、制御ユニット３の凸部３Ｇが、本体底部１Ｌの凸部１Ｋに接し、制御ユニット３の実装角度が決定される。
【００２１】
続いて、固定部３Ｄにより制御ユニット３を本体底部１Ｌにネジ止めし、制御ユニット３を垂直より僅かに傾いた位置に実装する。
その後、各配線コード８をそれぞれ所定位置に配置するとともに、ケース３Ａの裏面に設けられた各パイプ支持部３Ｈに、対応する給水パイプ６を挿入して支持して、一連の制御ユニット３の実装作業を終了する。
【００２２】
このように、制御ユニット３を衛生洗浄装置の本体（本体底部１Ｌ）に実装するための固定手段の一部にヒンジを設けて、制御ユニット３の実装作業時に、制御ユニット３を回転自在に支持するようにしたので、コネクタ３２が実装されている基板ユニット３Ｂの部品面が上向きまたは斜め上向きとなる図２（ａ）の位置に回転させた状態で、本体内の各部に実装された電装部品への複数の配線コード８を各コネクタ３２に接続できる。
【００２３】
これにより、配線コード８を容易に挿入でき配線作業の作業性が改善されるとともに、配線コード８の長さも比較的短くて済む。
また、配線コード８を接続した後、軸３Ｆを回転させるだけで、容易に所望の実装位置に制御ユニット３を実装できる。
したがって、制御ユニット３の実装位置が、図２（ｂ）に示すように、垂直より僅かに部品面が下向きであって、かつ後向きとなる位置であっても、容易に配線作業および実装作業を行うことができる。
【００２４】
なお、軸３Ｆをケース３Ａの側面に直接突出して設けてもよい。ただし、ケース３Ａから離間した位置に、支持部３Ｅにより軸３Ｆを支持するとともに、この軸３Ｆを本体底部１Ｌの軸受け１Ｇ，１Ｈにより回転自在に支持することにより、軸３Ｆをケース３Ａの側面に直接突出して設けた場合と比較して、ケース３Ａの回転半径を支持部３Ｅにより離間された距離だけ大きくとることができる。
したがって、配線作業時には、本体に実装されている他の部品からある程度距離を置くことができ、よりよい作業性が得られる。
【００２５】
また、ケース３Ａの開口側とは反対側の裏面、すなわち制御ユニット３の実装後に上方を向くケース３Ａの裏面に、給水パイプ６を支持する支持部３Ｈを設けたので、電子部品が実装される部品面側とは反対側のケース３Ａの裏面に、比較的簡単な作業で給水パイプ６を配置できるとともに、給水パイプ６の漏水による電子部品の誤動作や破壊を回避できる。
【００２６】
【発明の効果】
以上説明したように、本発明は、制御ユニットを装置本体に固定する手段の一部として、コネクタに配線コードを接続する際に、制御ユニットを、装置本体内で下向きに部品面を向けた状態と、装置本体外で上向きまたは斜め上向きに部品面を向けた状態との間で回転自在に支持するヒンジ部を設けたので、コネクタが実装されている制御ユニットの部品面が上向きまたは斜め上向きとなる位置に回転させた状態で、本体内の各部に実装された電装部品への複数の配線コードを各コネクタに接続できる。
【００２７】
これにより、配線コードを容易に挿入でき配線作業の作業性が改善されるとともに、配線コードの長さも比較的短くて済む。
また、配線コードを接続した後、軸を中心に回転させるだけで、容易に所望の実装位置に制御ユニットを実装できる。
したがって、制御ユニットの実装位置が、垂直より僅かに部品面が下向きであって、かつ後向きとなる位置であっても、容易に配線作業および実装作業を行うことができる。
【００２８】
また、ヒンジ部を、ケースから離間した位置に支持された軸と、装置本体に設けられた軸受けとから構成したので、軸をケースの側面に直接突出して設けた場合と比較して、ケースの回転半径を離間された距離だけ大きくとることができる。したがって、配線作業時に本体に実装されている他の部品からある程度距離を置くことができ、よりよい作業性が得られる。
また、基板ユニットを収納する開口側と反対側のケース裏面に、各種給水パイプを挟持するパイプ支持部を設けたので、電子部品が実装される開口側とは反対側のケースの裏面に、比較的簡単な作業で給水パイプを配置できるとともに、給水パイプの漏水による電子部品の誤動作や破壊を回避できる。
【図面の簡単な説明】
【図１】本発明の一実施の形態による制御ユニットの説明図である。
【図２】制御ユニットの実装作業を示す説明図である。
【図３】一般的な衛生洗浄装置を示す外観図である。
【図４】従来の制御ユニットの実装作業を示す説明図である。
【符号の説明】
１…衛生洗浄装置の本体、１Ｌ…本体底部、１Ｕ…本体カバー、１Ｇ，１Ｈ…軸受け、１Ｋ…凸部、２…便座、２Ａ…便座蓋、３…制御ユニット、３Ａ…ケース、３Ｂ…基板ユニット、３Ｃ樹脂、３Ｄ…固定部、３Ｅ…支持部、３Ｆ…軸、３Ｇ…凸部、３Ｈ…パイプ支持部、４…タンク、５…流調バルブ、６…給水パイプ、７…ノズル制御部、７Ａ…吐水ノズル、８…配線コード、９…ヒンジ部、１０…ジグ、３１…電子部品、３２…コネクタ。
【図１】
0003558824.tif 000002
【図２】
0003558824.tif 000003
【図３】
0003558824.tif 000004
【図４】
0003558824.tif 000005